(57)【要約】【課題】何ら片面画像処理と両面画像処理とを中断することなく、かつ、原稿のセットや画像出力モードの設定を繰り返すことなく、複数の片面原稿を読み込みながら、連続して片面画像出力する第１の出力モードと、片面原稿中の一部を両面画像出力する第２の出力モードとを自在に切り替えることである。【解決手段】スキャナ部１−２により読み取って得た表面の画像データが白紙画像かどうかを白紙検知部１−４が判定し、該判定結果に基づいて、プリンタ部１−６の出力モードを読み取られる各画像データを出力用紙の片面に出力する第１の出力モードから各画像データを出力用紙の両面に出力する第２の出力モードへ、あるいは、第２の出力モードから第１の出力モードへ切替えを本体ＣＰＵ１−８が制御する構成を特徴とする。【選択図】図４
2006023412.tif 000002
【特許請求の範囲】
【請求項１】
片面または両面の原稿画像を読み取り可能な読み取り手段と、読み取った表面原稿の搬送を制御して、裏面原稿を前記読み取り手段に読み取らせる搬送制御手段とを備える画像処理装置であって、
前記読み取られる各画像データを出力用紙の片面に出力する第１の出力モードまたは各画像データを出力用紙の両面に出力する第２の出力モードを有する出力手段と、
前記読み取り手段により読み取って得た表面の画像データが白紙画像かどうかを判定する判定手段と、
前記判定手段の判定結果に基づいて、前記出力手段の出力モードを第１の出力モードから第２の出力モードへ、あるいは、第２の出力モードから第１の出力モードへ切替え制御するモード制御手段と、
を有することを特徴とする画像処理装置。
【請求項２】
片面または両面の原稿画像を読み取り可能な読み取り手段と、読み取った表面原稿の搬送を制御して、裏面原稿を前記読み取り手段に読み取らせる搬送制御手段とを備える画像処理装置であって、
前記読み取り手段により読み取って得た画像データを記憶する記憶手段と、
前記記憶手段に記憶される画像データが白紙画像かどうかを判定する判定手段と、
前記記憶手段に記憶される各画像データを出力用紙の片面に出力する第１の出力モードまたは各画像データを出力用紙の両面に出力する第２の出力モードを有する出力手段と、
第１の出力モードで画像出力中、前記判定手段による判定結果に基づいて、第１の出力モードから第２の出力モードに切り替えて、前記記憶手段に記憶されている表面画像データと前記搬送制御手段により反転搬送される裏面から前記読み取り手段が読み取る原稿の裏面画像データとを出力用紙の表面または裏面に出力するように前記出力手段を制御する制御手段と、
を有することを特徴とする画像処理装置。
【請求項３】
前記制御手段は、前記判定手段による判定結果に基づいて、第２の出力モードから第１の出力モードに切り替えて、出力用紙の片面に記憶されている画像データを出力させる画像処理に復帰させることを特徴とする請求項２記載の画像処理装置。
【請求項４】
前記制御手段は、前記判定手段により白紙画像と判定された場合、第２の出力モードに切り替え、その後、あらかじめ決められた枚数の原稿の両面出力を行った後、自動的に第１の出力モードに復帰させることを特徴とする請求項２記載の画像処理装置。
【請求項５】
前記制御手段は、前記判定手段により白紙画像と判定された場合、第２の出力モードに切り替え、次の原稿が白紙画像判定されるまで第２の出力モードを保持させることを特徴とする請求項２に記載の画像処理装置。
【請求項６】
前記第１の出力モードは、片面コピーモードであり、前記第２の出力モードは両面コピーモードであることを特徴とする請求項２〜５のいずれかに記載の画像処理装置。
【請求項７】
前記制御手段は、前記判定手段により白紙画像と判定された場合、第２の出力モードに切り替え、白紙画像と判定された原稿の前読み取り原稿あるいは後読み取り原稿と白紙画像と判定された原稿の裏面の画像とが出力用紙の表裏の両面に割り当てられる両面画像出力とするように前記出力手段を制御することを特徴とする請求項２〜６のいずれかに記載の画像処理装置。
【請求項８】
前記制御手段は、前記判定手段により白紙画像と判定された場合、第２の出力モードに切り替え、白紙画像と判定された原稿の前読み取り原稿を裏面とし、後読み取り原稿と白紙画像と判定された原稿の裏面の画像を表面として両面画像出力するように前記出力手段を制御することを特徴とする請求項２〜６のいずれかに記載の画像処理装置。
【請求項９】
前記制御手段は、前記判定手段により白紙画像と判定された場合、第２の出力モードに切り替え、白紙画像と判定された原稿の前読み取り原稿を表面とし、後読み取り原稿と白紙画像と判定された原稿の裏面の画像を裏面として両面画像出力するように前記出力手段を制御することを特徴とする請求項２〜６のいずれかに記載の画像処理装置。
【請求項１０】
前記読み取り手段は、複数の原稿の画像を読み取る際、すべての原稿に対して表面と裏面の両方の読み込みを行うことを特徴とする請求項２記載の画像処理装置。
【請求項１１】
前記読み取り手段は、複数の原稿の画像を読み取る際、前記判定手段により、白紙画像でないと判断された原稿については裏面の画像の読み込みを読み込まず、白紙画像であると判定された原稿についてのみ、裏面の画像を読み込むことを特徴とする請求項２記載の画像処理装置。
【請求項１２】
片面または両面の原稿画像を読み取り可能な読み取り手段と、読み取った表面原稿の搬送を制御して、裏面原稿を前記読み取り手段に読み取らせる搬送制御手段とを備える画像処理装置における画像処理方法であって、
前記読み取られる各画像データを出力用紙の片面に出力する第１の出力モードまたは各画像データを出力用紙の両面に出力する第２の出力モードを有する出力ステップと、
前記読み取り手段により読み取って得た表面の画像データが白紙画像かどうかを判定する判定ステップと、
前記判定ステップの判定結果に基づいて、前記出力手段の出力モードを第１の出力モードから第２の出力モードへ、あるいは、第２の出力モードから第１の出力モードへ切替え制御するモード制御ステップと、
を有することを特徴とする画像処理方法。
【請求項１３】
片面または両面の原稿画像を読み取り可能な読み取り手段と、読み取った表面原稿の搬送を制御して、裏面原稿を前記読み取り手段に読み取らせる搬送制御手段と、前記読み取り手段により読み取って得た画像データを記憶する記憶手段とを備える画像処理方法であって、
前記記憶手段に記憶される画像データが白紙画像かどうかを判定する判定ステップと、
前記記憶手段に記憶される各画像データを出力用紙の片面に出力する第１の出力モードまたは各画像データを出力用紙の両面に出力する第２の出力モードを有する出力ステップと、
第１の出力モードで画像出力中、前記判定ステップによる判定結果に基づいて、第１の出力モードから第２の出力モードに切り替えて、前記記憶手段に記憶されている表面画像データと前記搬送制御手段により反転搬送される裏面から前記読み取り手段が読み取る原稿の裏面画像データとを出力用紙の表面または裏面に出力するように前記出力ステップを制御する制御ステップと、
を有することを特徴とする画像処理方法。
【請求項１４】
前記制御ステップは、前記判定ステップによる判定結果に基づいて、第２の出力モードから第１の出力モードに切り替えて、出力用紙の片面に記憶されている画像データを出力させる画像処理に復帰させることを特徴とする請求項１３記載の画像処理方法。
【請求項１５】
前記制御ステップは、前記判定ステップにより白紙画像と判定された場合、第２の出力モードに切り替え、その後、あらかじめ決められた枚数の原稿の両面出力を行った後、自動的に第１の出力モードに復帰させることを特徴とする請求項１３記載の画像処理方法。
【請求項１６】
前記制御ステップは、前記判定ステップにより白紙画像と判定された場合、第２の出力モードに切り替え、次の原稿が白紙画像判定されるまで第２の出力モードを保持させることを特徴とする請求項１３記載の画像処理方法。
【請求項１７】
前記第１の出力モードは、片面コピーモードであり、前記第２の出力モードは両面コピーモードであることを特徴とする請求項１３〜１６のいずれかに記載の画像処理方法。
【請求項１８】
前記制御ステップは、前記判定ステップにより白紙画像と判定された場合、第２の出力モードに切り替え、白紙画像と判定された原稿の前読み取り原稿あるいは後読み取り原稿と白紙画像と判定された原稿の裏面の画像とが出力用紙の表裏の両面に割り当てられる両面画像出力とするように前記出力ステップを制御することを特徴とする請求項１３〜１７のいずれかに記載の画像処理方法。
【請求項１９】
前記制御ステップは、前記判定ステップにより白紙画像と判定された場合、第２の出力モードに切り替え、白紙画像と判定された原稿の前読み取り原稿を裏面とし、後読み取り原稿と白紙画像と判定された原稿の裏面の画像を表面として両面画像出力するように前記出力ステップを制御することを特徴とする請求項１３〜１７のいずれかに記載の画像処理方法。
【請求項２０】
前記制御ステップは、前記判定ステップにより白紙画像と判定された場合、第２の出力モードに切り替え、白紙画像と判定された原稿の前読み取り原稿を表面とし、後読み取り原稿と白紙画像と判定された原稿の裏面の画像を裏面として両面画像出力するように前記出力ステップを制御することを特徴とする請求項１３〜１７のいずれかに記載の画像処理方法。
【請求項２１】
前記読み取り手段は、複数の原稿の画像を読み取る際、すべての原稿に対して表面と裏面の両方の読み込みを行うことを特徴とする請求項１３記載の画像処理方法。
【請求項２２】
前記読み取り手段は、複数の原稿の画像を読み取る際、前記判定ステップにより、白紙画像でないと判断された原稿については裏面の画像の読み込みを読み込まず、白紙画像であると判定された原稿についてのみ、裏面の画像を読み込むことを特徴とする請求項１３記載の画像処理方法。
【請求項２３】
請求項１２〜２２のいずれかに記載の画像処理方法を実行させるためのプログラムを格納したことを特徴とするコンピュータが読み取り可能な記憶媒体。
【請求項２４】
請求項１２〜２２のいずれかに記載の画像処理方法を実行させることを特徴とするプログラム。
【発明の詳細な説明】
【技術分野】
【０００１】
本発明は、片面または両面の原稿画像を読み取って、読み取った表面原稿の搬送を制御して記録紙の片面または両面に画像を出力可能な画像処理装置および画像処理方法およびコンピュータが読み取り可能なプログラムを格納した記憶媒体およびプログラムに関するものである。
【背景技術】
【０００２】
従来、複写装置は、片面コピーモードと両面コピーモードを持っているものがあり、片面原稿から片面原稿、片面原稿から両面原稿、両面原稿から片面原稿、両面原稿から両面原稿、というように、コピー処理を行うことが可能であった。
【０００３】
また、下記特許文献１のように、自動原稿送り装置に片面原稿と両面原稿とを混在しても、原稿と同一、片面、両面など任意のコピーモードでコピーできるような装置も存在する。
【０００４】
また、原稿が白紙であるかどうかを識別する手段を備えて、片面原稿か両面原稿かを自動的に判別し、片面原稿の裏面をコピーすることを防ぎ、空白ページのない原稿を作成することができるように構成されている。
【特許文献１】特開平５−０９４０６２号公報
【発明の開示】
【発明が解決しようとする課題】
【０００５】
しかしながら、片面原稿の中の一部分だけを両面コピーしたいような場合、途中で片面コピーモードから両面コピーモードへ切り替え、その後再び片面コピーモードに戻すというように、複数回に分けてコピーを行うといった手間が必要でとなり、操作性が悪く効率よく片面原稿から片面画像出力と、一部両面画像出力とを１回の原稿読み取り処理で効率よく得ることができないという課題があった。
【０００６】
本発明は、上記の課題を解決するためになされたもので、本発明の第１の目的は、読み取り手段により読み取って得た表面の画像データが白紙画像かどうかを判定し、該判定結果に基づいて、前記出力手段の出力モードを読み取られる各画像データを出力用紙の片面に出力する第１の出力モードから各画像データを出力用紙の両面に出力する第２の出力モードへ、あるいは、第２の出力モードから第１の出力モードへ切替え制御することにより、読み取らせる複数枚の片面原稿中に最初に読み取る面が白紙面となるように原稿を配列するという簡単な操作で、何ら片面画像処理と両面画像処理とを中断することなく、かつ、原稿のセットや画像出力モードの設定を繰り返すことなく、複数の片面原稿を読み込みながら、連続して片面画像出力する第１の出力モードと、片面原稿中の一部を両面画像出力する第２の出力モードとを自在に切り替えて、連続して原稿画像の片面画像出力と一部両面画像出力とを行うことができる画像処理装置および画像処理方法およびコンピュータが読み取り可能なプログラムを格納した記憶媒体およびプログラムを提供することである。
【０００７】
第２の目的は、読み取り手段により読み取って得た表面の画像データが白紙画像かどうかを判定し、該判定結果に基づいて、第１の出力モードから第２の出力モードに切り替えて、記憶されている表面画像データと反転搬送される裏面から前記読み取り手段が読み取る原稿の裏面画像データとを出力用紙の表面または裏面に出力するように制御することにより、読み取らせる複数枚の片面原稿中に最初に読み取る面が白紙面となるように原稿を配列するという簡単な操作で、何ら片面画像処理と両面画像処理とを中断することなく、かつ、原稿のセットや画像出力モードの設定を繰り返すことなく、複数の片面原稿を読み込みながら、連続して片面画像出力と、一部両面画像出力とが混在する画像出力を自在に行うことができる利便性に優れた画像出力環境を整備できる画像処理装置および画像処理方法およびコンピュータが読み取り可能なプログラムを格納した記憶媒体およびプログラムを提供することである。
【課題を解決するための手段】
【０００８】
上記目的を達成する本発明の画像処理装置は以下に示す構成を備える。
【０００９】
片面または両面の原稿画像を読み取り可能な読み取り手段と、読み取った表面原稿の搬送を制御して、裏面原稿を前記読み取り手段に読み取らせる搬送制御手段とを備える画像処理装置であって、前記読み取られる各画像データを出力用紙の片面に出力する第１の出力モードまたは各画像データを出力用紙の両面に出力する第２の出力モードを有する出力手段と、前記読み取り手段により読み取って得た表面の画像データが白紙画像かどうかを判定する判定手段と、前記判定手段の判定結果に基づいて、前記出力手段の出力モードを第１の出力モードから第２の出力モードへ、あるいは、第２の出力モードから第１の出力モードへ切替え制御するモード制御手段とを有することを特徴とする。
【００１０】
また、片面または両面の原稿画像を読み取り可能な読み取り手段と、読み取った表面原稿の搬送を制御して、裏面原稿を前記読み取り手段に読み取らせる搬送制御手段とを備える画像処理装置であって、前記読み取り手段により読み取って得た画像データを記憶する記憶手段と、前記記憶手段に記憶される画像データが白紙画像かどうかを判定する判定手段と、前記記憶手段に記憶される各画像データを出力用紙の片面に出力する第１の出力モードまたは各画像データを出力用紙の両面に出力する第２の出力モードを有する出力手段と、第１の出力モードで画像出力中、前記判定手段による判定結果に基づいて、第１の出力モードから第２の出力モードに切り替えて、前記記憶手段に記憶されている表面画像データと前記搬送制御手段により反転搬送される裏面から前記読み取り手段が読み取る原稿の裏面画像データとを出力用紙の表面または裏面に出力するように前記出力手段を制御する制御手段とを有することを特徴とする。
【００１１】
上記目的を達成する本発明の画像処理方法は以下に示す構成を備える。
【００１２】
片面または両面の原稿画像を読み取り可能な読み取り手段と、読み取った表面原稿の搬送を制御して、裏面原稿を前記読み取り手段に読み取らせる搬送制御手段とを備える画像処理装置における画像処理方法であって、前記読み取られる各画像データを出力用紙の片面に出力する第１の出力モードまたは各画像データを出力用紙の両面に出力する第２の出力モードを有する出力ステップと、前記読み取り手段により読み取って得た表面の画像データが白紙画像かどうかを判定する判定ステップと、前記判定ステップの判定結果に基づいて、前記出力ステップの出力モードを第１の出力モードから第２の出力モードへ、あるいは、第２の出力モードから第１の出力モードへ切替え制御するモード制御ステップとを有することを特徴とする。
【００１３】
片面または両面の原稿画像を読み取り可能な読み取り手段と、読み取った表面原稿の搬送を制御して、裏面原稿を前記読み取り手段に読み取らせる搬送制御手段と、前記読み取り手段により読み取って得た画像データを記憶する記憶手段とを備える画像処理方法であって、前記記憶手段に記憶される画像データが白紙画像かどうかを判定する判定ステップと、前記記憶手段に記憶される各画像データを出力用紙の片面に出力する第１の出力モードまたは各画像データを出力用紙の両面に出力する第２の出力モードを有する出力ステップと、第１の出力モードで画像出力中、前記判定ステップによる判定結果に基づいて、第１の出力モードから第２の出力モードに切り替えて、前記記憶手段に記憶されている表面画像データと前記搬送制御手段により反転搬送される裏面から前記読み取り手段が読み取る原稿の裏面画像データとを出力用紙の表面または裏面に出力するように前記出力ステップを制御する制御ステップとを有することを特徴とする。
【発明の効果】
【００１４】
本発明によれば、読み取らせる複数枚の片面原稿中に最初に読み取る面が白紙面となるように原稿を配列するという簡単な操作で、何ら片面画像処理と両面画像処理とを中断することなく、かつ、原稿のセットや画像出力モードの設定を繰り返すことなく、複数の片面原稿を読み込みながら、連続して片面画像出力と、一部両面画像出力とが混在する画像出力を自在に行うことができる利便性に優れた画像出力環境を整備できるという効果を奏する。
【００１５】
また、片面、両面の混在指示を何ら原稿を分割して複数の画像処理に分けて画像出力することなく、簡単な指示で、連続して片面と両面とが混在する画像出力を容易に得ることができるという効果を奏する。
【発明を実施するための最良の形態】
【００１６】
次に本発明を実施するための最良の形態について図面を参照して説明する。
【００１７】
〔第１実施形態〕
図１は、本発明の第１実施形態を示す画像処理装置の構成を説明する概略断面図であり、大別して、本体（リーダ部１００、プリンタ部２００）、自動原稿送り装置（ＡＤＦ）３００、そして、シート後処理装置（ソータ）４００にて構成される。
【００１８】
図１において、１００は原稿画像を画像データに変換する画像入力装置（リーダ部）である。２００は複数種類の記録紙カセットを有し、プリント命令により画像データを記録紙上に可視像として出力する画像出力装置（プリンタ部）である。
【００１９】
２５０は外部装置で、リーダ部１００と所定のインタフェースを介して通信可能に接続されている。この外部装置２５０は、各種のオプション機能を有し、不図示のファクシミリ部、ファイル部、このファイル部と接続されている外部記憶装置、コンピュータと接続するためのコンピュータインタフェース部、コンピュータからの情報を可視像とするためのフォーマッタ部、リーダ部からの情報を蓄積したり、コンピュータから送られてきた情報を一時的に蓄積するためのイメージメモリ部、及び、上記の各機能を制御するコア部等を備えている。
【００２０】
そこで、リーダ部１００、プリンタ部２００の構成及びその動作について説明する。
【００２１】
自動原稿送り装置（ＡＤＦ）３００の原稿台上に積載された原稿は、１枚ずつ、順次、プラテンガラス面１０２上に搬送される。原稿がプラテンガラス面１０２の所定位置へ搬送されると、リーダ部１００のランプ１０３が点灯し、かつ、スキャナユニット１０４が移動して原稿に光を照射する。そして、原稿からの反射光は、ミラー１０５，１０６，１０７、レンズ１０８を介して、ＣＣＤイメージセンサ部１０９に入力される。このＣＣＤイメージセンサ１０９に照射された原稿からの反射光は、光電変換等の電気処理が行なわれ、通常のデジタル処理が施される。この後、これらの信号は、プリンタ部２００に入力される。
【００２２】
プリンタ部２００に入力された画像信号は、露光制御部２０１にて変調された光信号に変換され、それが感光体２０２を照射する。この照射光によって感光体２０２上に作られた潜像は、現像器２０３によって現像される。ここでは、この現像像の先端とタイミングを合わせて転写紙積載部２０４、もしくは転写紙積載部２０５より転写紙が搬送され、転写部２０６において、上記の現像された像が転写紙上に転写される。そして、転写された像は、定着部２０７にて転写紙に定着された後、排紙部２０８より、本装置の外部に排出される。このように排紙部２０８から出力された転写紙は、ソータ４００で、あらかじめ指定された動作モードに応じて、仕分け、綴じ等が行なわれる。
【００２３】
次に、順次読み込む画像を１枚の出力用紙の両面に出力する方法について説明する。
【００２４】
順次読み込んだ画像を、１枚の出力用紙の両面に出力するためには、定着部２０７で定着された出力用紙を、一度、排紙部２０８まで搬送後、用紙の搬送の向きを反転し、搬送方向切り替え部材２０９を介して、再給紙用被転写紙積載部２１０に搬送する。そこで、次の原稿が準備されると、上記のプロセスと同様にして原稿画像が読み取られるが、転写紙については、それが再給紙用被転写紙積載部２１０より給紙されるので、結局、同一出力紙の表面、裏面に、２枚の原稿画像が出力されることになる。
【００２５】
＜ＡＤＦ（自動原稿送り装置）の説明＞
図２は、図１に示したＡＤＦ３００の構成を説明する概略断面図である。
【００２６】
図２において、ＡＤＦ３００には、原稿束をセットする第１の原稿トレイとしての積載トレイ３１０が装備されている。また、積載トレイ３１０には、原稿給送手段の一方の部分を構成する給送手段が装備されている。この給送手段は、半月ローラ３３１、分離搬送ローラ３３２、分離モータＳＰＲＭＴＲ（不図示）、レジストローラ３３５、全面ベルト３３６、ベルトモータＢＥＬＴＭＴＲ（不図示）、搬送大ローラ３３７、搬送モータＦＥＥＤＭＴＲ（不図示）、排紙ローラ３４０、フラッパ３４１、リサイクルレバー３４２、給紙センサＥＮＴＳ、反転センサＴＲＮＳ、排紙センサＥＪＴＳ（いずれも不図示）等から構成されている。
【００２７】
ここで、半月ローラ３３１と分離搬送ローラ３３２は、分離モータＳＰＲＭＴＲにより回転され、積載トレイ３１０上の原稿束Ｓの最下部から、原稿を１枚ずつ分離する。
【００２８】
また、レジストローラ３３５と全面ベルト３３６は、ベルトモータＢＥＬＴＭＴＲにより回転され、上記の分離された原稿を、シートパスａ，ｂを介して、原稿台ガラス１０１上の露光位置（シートパスｃ）まで搬送する。
【００２９】
また、搬送大ローラ３３７は、不図示の搬送モータＦＥＥＤＭＴＲにより回転され、原稿台ガラス１０１上の原稿を、シートパスｃからシートパスｅに搬送する。そして、シートパスｅに搬送された原稿は、排紙ローラ３４０により、積載トレイ３１０の原稿束Ｓ上に戻される。リサイクルレバー３４２は、原稿の一循環を検知するもので、原稿給送開始時に、リサイクルレバー３４２が原稿束Ｓの上部に載せられ、原稿が順次給送されて、最終原稿の後端がリサイクルレバー３４２を抜けるときに自重で落下することで、原稿の一循環を検知する。
【００３０】
原稿給送手段として機能するＡＤＦ３００では、両面原稿がセットされたときには、原稿を一旦、シートパスａ，ｂからシートパスｃに導き、次いで、搬送大ローラ３３７を回転して、フラッパ３４１を切り替えることで、原稿の先端をシートパスｄに導き、レジストローラ３３５により、シートパスｂを通して、全面ベルト３３６で原稿を原稿台ガラス１０１上に搬送して、停止することで、原稿を反転させている。すなわち、原稿をシートパスｃ−ｄ−ｂの経路を通して反転させている。
【００３１】
なお、原稿束Ｓの原稿を１枚ずつ、シートパスａ−ｂ−ｃ−ｄ−ｅを通して、リサイクルレバー３４２により一循環したことが検知されるまで搬送することによって、原稿の枚数をカウントとする。
【００３２】
＜操作部、表示部（５００）の説明＞
図３は、図１のリーダ部１００に設けた操作・表示パネルの配置構成例を示す図であり、図示した操作・表示パネルは、キーと、キー／表示ができるＬＣＤディスプレイを有する。
【００３３】
図３において、５０３は複写開始キー（コピースタートキー）であり、本画像処理装置にて複写を開始するときに押下されるキーである。５０４はクリア／ストップキーであり、装置が待機（スタンバイ）中に押すとクリアキー、複写記録中は、ストップキーの機能を有する。このクリアキー５０４は、設定した複写枚数を解除するときにも押される。また、５０２はテンキーであり、複写枚数を設定するときに押される。
【００３４】
５０５は複写濃度キーであり、複写濃度を手動で調節するときに押す。５０６はＡＥキーであり、原稿の濃度に応じて、複写濃度を自動的に調節するときに、または、ＡＥ（自動濃度調節）を解除して、濃度調節をマニュアル（手動）に切り換えるときに押す。また、５０８は用紙選択キーであり、上段カセット、中段カセット、下段ペーパーデッキを選択するときに押す。さらに、ＡＤＦ３００に原稿が載っているときには、このキー５０８により、ＡＰＳ（自動用紙選択）が選択できる。なお、ＡＰＳが選択された場合には、原稿と同じ大きさの転写紙のカセットが自動選択される。
【００３５】
５０９は等倍キーであり、等倍（原寸）の複写をとるときに押す。５１１はズームキーであり、例えば、６４〜１４２％の間で任意の倍率を指定するときに押す。５１０，５１２は定形変倍キーであり、定形サイズの縮小・拡大を指定するときに押す。
【００３６】
また、５１５は、ソータ４００の動作モードを選択するためのキーであり、排紙方法（ステイプル、ソート、グループ）、記録後にステイプルで綴じることのできるステイプラが接続されている場合は、ステイプルモード／ソートモード、記録済用紙の折り（断面Ｚ形／断面Ｖ形）の選択及び解除ができる。
【００３７】
さらに、キー５１３，５１４により、様々な処理、例えば、両面モード、綴じ代設定、写真モード、多重処理、ページ連写、２ｉｎ１モード等ができる。なお、５０１は様々なメッセージと複写に関連する情報を表示するＬＣＤディスプレイであり、複写に関連する情報を表示する。
【００３８】
＜白紙検出の説明＞
本実施形態にかかる装置では、原稿上に画像が存在するかどうかの検出を行って、原稿が表向きか裏向きかを検出する。原稿に画像が存在するかどうかの判定は、特開平５−０９４０６２号公報、特開平０９−２８４４９０号公報、特開平９−２６１３８３号公報、特開２０００−２７８４８４号公報などによって、様々な方法が提案されている。本発明では、どのような方法で検出を行ってもよい。
【００３９】
図４は、図１に示した画像処理装置の制御構成を説明するブロック図であり、以下、画像処理装置の制御構成及び信号の流れを説明する。
【００４０】
図４において、画像信号記憶部１−３は、スキャナ部１−２より送られてきたＲＧＢ画像信号を入力し、そのデータを、白紙検知部１−４に入力することによって、その原稿が白紙かどうかの判定を行う。原稿が白紙であった場合には、それを示す判定信号を、複写機本体のＣＰＵ１−８に送る。
【００４１】
この本体ＣＰＵ１−８により、ＡＤＦ動作１−１、画像処理部１−５、プリンタ部１−６の制御を行う。
【００４２】
画像信号記憶部１−３は、例えば、ＲＡＭ等の半導体記憶素子や、ハードディスク等の磁気記録装置等を使用することによって、スキャナ部１−２からのＲＧＢ画像信号を一時記憶する。また、画像信号記憶部１−３から画像データの出力を行う際の制御も、本体ＣＰＵ１−８からの信号によって行う。
【００４３】
＜両面コピーの説明＞
本実施形態では、片面原稿の一部を両面コピーにしたい場合、両面コピー後にその裏面になるべき画像の片面原稿をあらかじめ裏返しにしてコピーを行う。
【００４４】
図５は、図１に示したＡＤＦ３００の原稿台に載置される原稿の配置状態と、コピー結果とを示す図であり、上部が原稿台に載置される原稿ＤＣ−１〜ＤＣ−５を示し、原稿ＤＣ−４のみ、白紙面が表面となり、原稿画像Ｉ４が裏面となるように重ねられる。Ｉ１〜Ｉ５は原稿画像である。
【００４５】
ＣＰ−１〜ＣＰ−４はコピー出力であり、コピー出力ＣＰ−１，ＣＰ−２，ＣＰ４は片面コピー出力となり、コピー出力ＣＰ−３のみが両面コピー出力となる例である。本実施形態では、図５に示すように片面原稿白紙面を最初の読み込み面とするように原稿を重ねることで、片面原稿の一部を両面コピーすることができる。
【００４６】
ここでは、４ページ目の片面原稿ＤＣ−４を裏返しにしてコピーを行う。結果として、３ページ目が表面、４ページ目が裏面となる両面コピー出力ＣＰ−３が出来上がる。その他の原稿は片面コピーのままである。
【００４７】
このように構成された画像処理装置は、以下の特徴的構成を備えている。
【００４８】
片面または両面の原稿画像を読み取り可能な、例えば図４に示すスキャナ部１−２は、図１に示すＡＤＦ３００から給送される原稿画像を読み取り可能であって、反転パスを介して原稿用紙の両面または片面の原稿画像をスキャナ部１−２の画像読み取り面となるように原稿給送可能に構成される。そして、読み取った表面原稿の搬送を本体ＣＰＵ１−８が制御して、裏面原稿を前記読み取り手段に読み取らせることができる。
【００４９】
そして、読み取られる各画像データを出力用紙の片面に出力する第１の出力モードまたは各画像データを出力用紙の両面に出力する第２の出力モードを有する、例えば図２に示すプリンタ部１−６は、図１に示すように、中間搬送路を介して画像形成された用紙を反転して、用紙の両面あるいは片面に画像を出力可能に構成されている。
【００５０】
また、スキャナ部１−２により読み取って得た表面の画像データが白紙画像かどうかを判定する、例えば図４に示す白紙検知部１−４は、画像信号記憶部１−３に記憶された原稿画像データを画像処理で判定する。そして、該白紙判定結果に基づいて、プリンタ部１−６の出力モードを第１の出力モードから第２の出力モードへ、あるいは、第２の出力モードから第１の出力モードへの切替えを、例えば図４に示す本体ＣＰＵ１−８が図６に示すステップＳ１０７〜Ｓ１１５を実行することで制御する。
【００５１】
これにより、読み取らせる複数枚の片面原稿中に最初に読み取る面が白紙面となるように原稿を配列するという簡単な操作で、何ら片面画像処理と両面画像処理とを中断することなく、かつ、原稿のセットや画像出力モードの設定を繰り返すことなく、複数の片面原稿を読み込みながら、連続して片面画像出力と、一部両面画像出力とが混在する画像出力を自在に行うことができる利便性に優れた画像出力環境を整備できる。
【００５２】
また、片面または両面の原稿画像を読み取り可能なスキャナ部１−２は、図１に示すＡＤＦ３００から給送される原稿画像を読み取り可能であって、反転パスを介して原稿用紙の両面または片面の原稿画像をスキャナ部１−２の画像読み取り面となるように原稿給送可能に構成されている。そして、読み取った表面原稿の搬送を制御して、裏面原稿を前記読み取り手段に読み取らせるように本体ＣＰＵ１−８がスキャナ部１−２とＡＤＦ動作１−１を制御している。
【００５３】
スキャナ部１−２により読み取って得た画像データは画像信号記憶部１−３に記憶された後、白紙検知部１−４が記憶される画像データが白紙画像かどうかを判定する。
【００５４】
そして、その判定結果に基づいて、本体ＣＰＵ１−８は、第１の出力モードから第２の出力モードに切り替えて、画像信号記憶部１−３に記憶されている表面画像データとＡＤＦ３００により反転搬送される裏面からスキャナ部１−２が読み取る原稿の裏面画像データとを出力用紙の表面または裏面に出力するように、本体ＣＰＵ１−８が白紙検知部１−４の検出結果から、プリンタ部１−６による画像出力モードを片面出力する第１の出力モードと、両面出力する第２の出力モードへの切替を、例えば図６に示すステップＳ１０７〜Ｓ１１５を実行することで制御する。
【００５５】
これにより、読み取らせる複数枚の片面原稿中に最初に読み取る面が白紙面となるように原稿を配列するという簡単な操作で、何ら片面画像処理と両面画像処理とを中断することなく、かつ、原稿のセットや画像出力モードの設定を繰り返すことなく、複数の片面原稿を読み込みながら先行する原稿画像データを記憶させることで、連続して片面画像出力と、一部両面画像出力とが混在する画像出力を自在に行うことができる利便性に優れた画像出力環境を整備できる。
【００５６】
また、本体ＣＰＵ１−８は、白紙検知部１−４による白紙画像の検知判定結果に基づいて、第２の出力モードから第１の出力モードに切り替えて、出力用紙の片面に記憶されている画像データを出力させる画像処理に復帰させる。
【００５７】
これにより、連続して片面原稿を読み取っている最中に、第１の出力モードから第２の出力モードに切り替わってしまっても、第２の出力モードから第１の出力モードに切り替えて、片面原稿の画像の読み取りを支障なく継続することができる。
【００５８】
さらに、本体ＣＰＵ１−８は、白紙検知部１−４により白紙画像と判定された場合、第２の出力モードに切り替え、その後、あらかじめ決められた枚数の原稿の両面出力を行った後、自動的に第１の出力モードに復帰させる。
【００５９】
これにより、連続して片面原稿を読み取っている最中に、第１の出力モードから第２の出力モードに切り替わってしまっても、適時に第２の出力モードから第１の出力モードに切り替えて、片面原稿の画像の読み取りを支障なく継続することができる。
【００６０】
また、本体ＣＰＵ１−８は、白紙検知部１−４により白紙画像と判定された場合、第２の出力モードに切り替え、次の原稿が白紙画像判定されるまで第２の出力モードを保持させる。
【００６１】
これにより、連続して片面原稿を読み取っている最中に、第１の出力モードから第２の出力モードに切り替わってしまっても、次の白紙画像と判定されるまでは、通常の片面原稿と同一の配置で片面原稿を読み込みながら、両面画像出力を継続させることができる。
【００６２】
さらに、第１の出力モードは、片面コピーモードであり、前記第２の出力モードは両面コピーモードである。
【００６３】
これにより、連続して片面原稿を読み取っている最中に、片面出力モードから両面出力モードに切り替えることができる。
【００６４】
また、本体ＣＰＵ１−８は、白紙検知部１−４により白紙画像と判定された場合、第２の出力モードに切り替え、白紙画像と判定された原稿の前読み取り原稿あるいは後読み取り原稿と白紙画像と判定された原稿の裏面の画像とが出力用紙の表裏の両面に割り当てられる両面画像出力とするようにプリンタ部１−６を制御する。
【００６５】
これにより、連続して片面原稿を読み取っている最中に、第１の出力モードから第２の出力モードに切り替わってしまっても、第２の出力モードから第１の出力モードに切り替えて、先行する片面原稿と後続する片面原稿とを、出力用紙の裏面または表面のいずれにも出力した両面画像出力を容易に得ることができる。
【００６６】
さらに、本体ＣＰＵ１−８は、白紙検知部１−４により白紙画像と判定された場合、第２の出力モードに切り替え、白紙画像と判定された原稿の前読み取り原稿を裏面とし、後読み取り原稿と白紙画像と判定された原稿の裏面の画像を表面として両面画像出力するようにプリンタ部１−６を制御する。
【００６７】
これにより、連続して片面原稿を読み取っている最中に、第１の出力モードから第２の出力モードに切り替わってしまっても、第２の出力モードから第１の出力モードに切り替えて、後続する片面原稿を表面とし、先行する片面原稿を裏面とする両面画像出力を容易に得ることができる。
【００６８】
さらに、本体ＣＰＵ１−８は、白紙検知部１−４により白紙画像と判定された場合、第２の出力モードに切り替え、白紙画像と判定された原稿の前読み取り原稿を表面とし、後読み取り原稿と白紙画像と判定された原稿の裏面の画像を裏面として両面画像出力するように前記出力手段を制御する。
【００６９】
これにより、連続して片面原稿を読み取っている最中に、第１の出力モードから第２の出力モードに切り替わってしまっても、第２の出力モードから第１の出力モードに切り替えて、後続する片面原稿を裏面とし、先行する片面原稿を表面とする両面画像出力を容易に得ることができる。
【００７０】
また、スキャナ部１−２は、複数の原稿の画像を読み取る際、すべての原稿に対して表面と裏面の両方の読み込みを行う。
【００７１】
これにより、画像読み取りシーケンスを簡略化して、表面が白紙画像となるように原稿を確実に検出して、出力モードを自在、かつ、確実に切り替えることができる。
【００７２】
さらに、スキャナ部１−２は、複数の原稿の画像を読み取る際、前記判定手段により、白紙画像でないと判断された原稿については裏面の画像の読み込みを読み込まず、白紙画像であると判定された原稿についてのみ、裏面の画像を読み込む。
【００７３】
これにより、表面が白紙画像となるように原稿を確実に検出して、出力モードを自在、かつ、確実に切り替えることができる。
【００７４】
図６は、本発明に係る画像処理装置における第１のデータ処理手順の一例を示すフローチャートであり、図４に示した本体ＣＰＵ１−８が図示しない記憶部より読み込む制御プログラムを実行することで実現される。なお、Ｓ１０１〜Ｓ１１５は各ステップを示す。
【００７５】
まずは、コピーの準備として、コピーしたい片面原稿を用意し、両面コピーしたい２つのページを連続させ、裏面にあたるページの原稿を裏返し（最初に読み取る面を白紙面とするように）にしてＡＤＦ３００の原稿台３１０上にセットする。
【００７６】
そして、図３に示したコピーボタン５０３を押すことでコピー処理が開始される（Ｓ１０１）。そして、原稿台３１０にセットした原稿がＡＤＦ３００で紙送りされ（Ｓ１０２）、紙送りされた原稿をスキャナ部１−２でスキャンする（Ｓ１０３）。
【００７７】
そして、スキャナ部１−２でスキャンされたスキャン画像データをページメモリとして構成される画像信号記憶部１−３に一旦格納する（Ｓ１０４）。
【００７８】
次に、ＡＤＦ３００で次のページを紙送りする（Ｓ１０５）。そして、紙送りされた次のページをスキャナ部１−２で上記同様にスキャンする（Ｓ１０６）。
【００７９】
そして、スキャナ部１−２によりスキャンした画像データに対して、ＣＰＵ１−８が白紙検出処理を実行して、その読み取りページが白紙ページ（白紙原稿）か否かを判断する（Ｓ１０７）。ここで、読み取りページ面に画像データが存在し、白紙でないと判断した場合には、この原稿は裏向きでないと判断する。この画像データは、ページメモリとして機能する画像信号記憶部１−３に格納される（Ｓ１０８）。そして、ステップＳ１０４で、先に画像信号記憶部１−３に格納されている一つ前のページを画像処理部１−５による画像処理後、プリンタ部１−６でプリントアウトする（Ｓ１０９）。
【００８０】
そして、ＡＤＦ３００にセットされた原稿をすべてスキャンし終わっているかどうかを本体ＣＰＵ１−８が判断し（Ｓ１１０）、終了していると判断した場合は、コピー動作は終了する（Ｓ１１５）。
【００８１】
一方、ステップＳ１１０で、ＡＤＦ３００にスキャンしていない原稿が残っていると本体ＣＰＵ１０８が判断した場合は、ステップＳ１０５に戻り、次の原稿スキャン処理へ移る。
【００８２】
一方、ステップＳ１０７において、画像データが存在せず、本体ＣＰＵ１０８が白紙ページを検出した場合、原稿が裏向きにされたと判断し、ＡＤＦ３００によって、上述した搬送パスを介して図５に示したステップ、例えば原稿ＤＣ−３を裏返し（反転処理）にする（Ｓ１１１）。
【００８３】
そして、裏返しにした原稿ＤＣ−４をスキャナ部１−２でスキャンする（Ｓ１１２）。次に、ステップＳ１０４で、先にページメモリとして機能する画像信号記憶部１−３に格納した画像データＩ３を表面に対して画像出力を行った後、プリンタ部１−６の反転パスを介して反転した後、ステップＳ１１２でスキャンした裏返しにされた原稿ＤＣ−４の画像データＩ４を裏面に画像出力して、両面コピーＣＰ−３を出力する（Ｓ１１３）。
【００８４】
そして、ＡＤＦ３００にセットされた原稿をすべてスキャンし終わっているか否かを本体ＣＰＵ１−８が判断して（Ｓ１１４）、原稿をすべてスキャンし終わっていると判断した場合は、本コピー動作は終了する（１１５）。
【００８５】
一方、ステップＳ１１４で、ＡＤＦ３００にスキャンしていない原稿が残っていると本体ＣＰＵ１−８が判断した場合は、ステップＳ１０５に戻り、次の原稿スキャンへ移る。
【００８６】
以上のようなシーケンスでコピーを行うことにより、片面原稿の中の一部分だけを両面コピーしたいような場合、途中で手動でコピーモードを切り替えることなく、一度のコピー動作で任意の片面原稿を両面コピーするので、片面原稿の中の任意のページの中から部分的に両面コピーを行うことが可能となる。
【００８７】
〔第２実施形態〕
第１実施形態においては、まず、原稿の表面をスキャンし、白紙であった場合にその裏面のスキャンを行う場合について説明したが、２枚目の原稿については、表面および裏面の原稿を連続して読み取った後、２枚目の原稿の表面が白紙かどうかを判別して、既に格納した１枚目の原稿の表面が白紙の原稿画像データを削除して、裏面側の原稿画像データを先に読み取った１枚目の原稿の裏面側に画像出力するように読み取りとコピー出力とを制御してもよい。以下、その実施形態について説明する。すなわち、本実施形態では、２枚目、言い換えると偶数枚目の原稿については表面の画像の有無に関わらず、裏面の画像のスキャンも行っている。
【００８８】
図７は、本発明に係る画像処理装置における第２のデータ処理手順の一例を示すフローチャートであり、図４に示した本体ＣＰＵ１−８が図示しない記憶部より読み込む制御プログラムを実行することで実現される。なお、Ｓ２０１〜Ｓ２１８は各ステップを示す。
【００８９】
コピーボタン５０３を押すことでコピーが開始される（Ｓ２０１）。ＡＤＦ３００にセットした原稿が原稿台３１０より紙送りされる（Ｓ２０２）。紙送りされた原稿をスキャナ部１−２でスキャンする（Ｓ２０３）。
【００９０】
そして、スキャナ部１−２でスキャナンされた１枚目の表面のスキャン画像データをページメモリである画像信号記憶部１−３に格納する（Ｓ２０４）。次に、ＡＤＦ３００で次のページを紙送りする（Ｓ２０５）。紙送りされた次のページの表面をスキャナ部１−２でスキャンする（Ｓ２０６）。次に、スキャナ部１−２でスキャンした表面の画像データをページメモリである画像信号記憶部１−３に格納する（Ｓ２０７）。
【００９１】
次に、ＡＤＦ３００で上述した反転パスを介して２枚目の原稿を裏返しする（Ｓ２０８）。そして、裏返しした原稿をスキャナ部１−２でスキャンする（Ｓ２０９）。次に、裏面の原稿画像データをページメモリである画像信号記憶部１−３に格納する（Ｓ２１０）。
【００９２】
そして、２枚目の原稿の表面の画像データに対して、白紙検出処理を行い、白紙原稿かどうかを本体ＣＰＵ１−８が判断する（Ｓ２１１）。ここで、原稿画像データが画像有り、すなわち、白紙原稿でないと本体ＣＰＵ１−８が判断した場合は、この原稿は裏向きでないと判断する。この場合、ステップＳ２１０で、先行して画像信号記憶部１−３に格納した裏面の画像データは使用しないので、画像信号記憶部１−３から削除する（Ｓ２１２）。
【００９３】
そして、ステップＳ２０７で、先行して画像信号記憶部１−３に格納されている一つ前の原稿ページをプリンタ部１−６からプリントアウトする（Ｓ２１３）。
【００９４】
次に、本体ＣＰＵ１−８は、ＡＤＦ３００にセットされた原稿をすべてスキャンし終えているかどうかを判断して（Ｓ２１４）、スキャンし終えていると判断した場合は、コピー動作は終了する（Ｓ２１８）。
【００９５】
一方、ステップＳ２１４で、ＡＤＦ３００にスキャンしていない原稿が残っていると本体ＣＰＵ１−８が判断した場合、ステップＳ２０５に戻り、次の原稿の読み取りを開始する。
【００９６】
一方、ステップＳ２１１において、２枚目の原稿の表面の原稿画像が白紙原稿であると本体ＣＰＵ１−８が判断した場合は原稿が裏向きにされたと判断する。そして、ステップＳ２０７で先行して画像信号記憶部１−３に格納している表面の原稿画像データは使用しないので、画像信号記憶部１−３から削除する（Ｓ２１５）。
【００９７】
そして、ステップＳ２０３で、先行して読み取って画像信号記憶部１−３に格納した奇数枚目の表面の原稿画像データを表面とし、ステップＳ２１０で画像信号記憶部１−３に格納した偶数枚目の原稿裏面側の原稿画像データを裏面とする両面コピーをプリンタ部１−６により実行する（Ｓ２１６）。
【００９８】
そして、ＡＤＦ３００にセットされた原稿をすべてスキャンし終えているかどうかを本体ＣＰＵ１−８が判断して（Ｓ２１７）、し終えていると判断した場合は、コピー動作は終了する（Ｓ２１８）。
【００９９】
一方、ステップＳ２１７で、ＡＤＦ３００にスキャンしていない原稿が残っていると本体ＣＰＵ１−８が判断した場合、ステップＳ２０２に戻り、次の原稿のスキャン処理を開始する。
【０１００】
以上のようなシーケンスでコピーを行うことにより、第１実施形態と比較し、白紙原稿の判断をしてから原稿を裏返すという手順を踏まなくてもよくなる。
【０１０１】
〔第３実施形態〕
上記第１実施形態では、その１つ前の原稿を片面コピーにするか両面コピーするかの判断ができないので、１つ前の原稿を、次の原稿の白紙検出を終えるまでメモリなどに格納しておかなければならない。
【０１０２】
つまり、図５に示したように、原稿ＤＣ−４の表面が白紙と検出した場合に、先行する原稿ＤＣ−３の画像Ｉ３を表面に、原稿ＤＣ−４の裏面の画像Ｉ４を裏面として両面コピーしてコピー出力ＣＰ−３とする場合について説明したが、原稿ＤＣ−４の表面が白紙と検出した場合に、原稿ＤＣ−４の裏面の画像Ｉ４を表面とし、後続する原稿ＤＣ−５の画像Ｉ５を裏面にして両面コピーしてコピー出力ＣＰ−４とするように制御してもよい。以下、その実施形態について説明する。
【０１０３】
図８は、図１に示したＡＤＦ３００の原稿台に載置される原稿の配置状態と、コピー結果とを示す図であり、上部が原稿台に載置される原稿ＤＣ−１〜ＤＣ−５を示し、原稿ＤＣ−４のみ、白紙面が表面となり、原稿画像Ｉ４が裏面となるように重ねられる。Ｉ１〜Ｉ５は原稿画像である。なお、図５と同一のものには同一の符号を付してある。
【０１０４】
ＣＰ−１〜ＣＰ−４はコピー出力であり、コピー出力ＣＰ−１，ＣＰ−２、ＣＰ３は片面コピー出力となり、コピー出力ＣＰ−４のみが両面コピー出力となる例である。本実施形態では、図５に示すように片面原稿白紙面を最初の読み込み面とするように原稿を重ねることで、片面原稿の一部を両面コピーすることができる。ここでは、４枚目の片面原稿を裏返しにしてコピーを行う。結果として、４枚目が表面、５枚目が裏面となる両面コピーが出来上がる。その他の原稿は片面コピーのままである。
【０１０５】
図９は、本発明に係る画像処理装置における第３のデータ処理手順の一例を示すフローチャートであり、図４に示した本体ＣＰＵ１−８が図示しない記憶部より読み込む制御プログラムを実行することで実現される。なお、Ｓ３０１〜Ｓ３１３は各ステップを示す。
【０１０６】
まず、コピーの準備として、コピーしたい片面原稿を用意し、両面コピーしたい２つのページを連続させ、表面にあたるページの原稿を裏返しにして、図８の上部に示す順序でＡＤＦ３００に積載セットする。
【０１０７】
図３に示したコピーボタン５０３を押すことでスキャナ部１−２によるコピーが開始される（Ｓ３０１）。そして、原稿台３１０上にセットされた原稿ＤＣ−１からＡＤＦ３００で紙送りされる（Ｓ３０２）。紙送りされた原稿をスキャナ部１−２でスキャンする（Ｓ３０３）。
【０１０８】
次に、スキャナ部１−２によりスキャンした原稿画像データに対して、白紙検出処理を行い、白紙原稿を検出したか否かを本体ＣＰＵ１−８が判断して（Ｓ３０４）、画像データが存在し、白紙でないと本体ＣＰＵ１−８が判断した場合には、この原稿は裏向きでないと判断する。そして、スキャンした原稿画像データを片面コピーでプリンタ部１−６よりプリントアウトする（Ｓ３０５）。
【０１０９】
次に、ＡＤＦ３００にセットされた原稿をすべてスキャンし終えているかどうかを本体ＣＰＵ１−８が判断し（Ｓ３１２）、し終えていると判断した場合には、コピー動作は終了する（Ｓ３１３）。
【０１１０】
一方、ＡＤＦ３００にスキャンしていない原稿が残っていると本体ＣＰＵ１−８が判断した場合は、ステップＳ３０２に戻り、次の原稿のスキャンに移る。
【０１１１】
一方、ステップＳ３０４において、画像データが存在せず、白紙原稿であると本体ＣＰＵ１−８が判断した場合、原稿が裏向きにされたと判断し、上述した反転パスを介してＡＤＦ３００によって原稿を裏返しにする（Ｓ３０６）。
【０１１２】
次に、裏返しにした原稿をスキャナ部１−２によりスキャンする（Ｓ３０７）。そして、スキャンした画像をページメモリである画像信号記憶部１−３に格納しておく（Ｓ３０８）。
【０１１３】
次に、ＡＤＦ３００で次の原稿が紙送りされる（Ｓ３０９）。そして、紙送りした原稿をスキャナ部１−２によりスキャンする（Ｓ３１０）。先に、ステップＳ３０８で画像信号記憶部１−３に格納した画像データを表面とし、今スキャンした後続の原稿の画像を裏面として、プリンタ部１−６により両面コピーを行う（Ｓ３１１）。その後、ステップＳ３１２へ行き、残りの原稿のチェックを行う。
【０１１４】
以上のようなシーケンスでコピーを行うことにより、次のページの白紙検出を待たずに、現在ページの白紙チェックが終わった段階で、白紙でない場合にはプリントアウトすることが可能になり、シーケンスが簡略化する。
【０１１５】
なお、図６と図９に示す画像処理を組み合せて、白紙画像と判定された原稿の前読み取り原稿あるいは後読み取り原稿と白紙画像と判定された原稿の裏面の画像とが出力用紙の表裏の両面に割り当てられる両面画像出力とするように制御してもよい。
【０１１６】
〔第４実施形態〕
上記第１、第２、第３の各実施形態においては、複数の原稿束中に表面が白紙となる原稿を１枚挿入して、つまり、２枚の原稿を１枚の両面コピーとするために、原稿毎に裏返しにした状態でＡＤＦ３００の原稿台３１０にセットする場合について説明したが、複数枚の原稿を複数枚の両面コピーとするために、両面コピーしたい原稿が複数続く場合、片面コピー中のある片面原稿からある片面原稿の間を両面原稿とした場合に、その開始位置となる原稿とその終了位置となる原稿とを表面白紙にセットするという構成で、その間の片面原稿を連続的に両面コピーとするように制御して、原稿セット手間を省けるように構成してもよい。いか、その実施形態について説明する。
【０１１７】
図１０は、図１に示したＡＤＦ３００の原稿台に載置される原稿の配置状態と、コピー結果とを示す図であり、上部が原稿台に載置される原稿ＤＣ−１〜ＤＣ−１２を示し、原稿ＤＣ−４と原稿ＤＣ−９のみ、白紙面が表面となり、原稿ＤＣ−４と原稿ＤＣ−９との間の各原稿ＤＣ−５〜原稿ＤＣ−８は表面が原稿画像となるように重ねられる。Ｉ１〜Ｉ１２は原稿画像である。なお、図５と同一のものには同一の符号を付してある。また、下部のＣＰ−１〜ＣＰ−９はコピー出力である。
【０１１８】
本実施形態では、図１０に示したように、両面コピーを始めたい原稿ＤＣ−４を裏返しにし、それ以降は両面コピーモードとなる。両面コピーモードを終了させ、片面コピーモードに戻したいときは、両面コピーを行いたい最後の原稿ＤＣ−９を裏返しにしておく。結果として、４ページ目から９ページ目までが両面コピーされる。その他の原稿は片面コピーのままである。
【０１１９】
図１１は、本発明に係る画像処理装置における第４のデータ処理手順の一例を示すフローチャートであり、図４に示した本体ＣＰＵ１−８が図示しない記憶部より読み込む制御プログラムを実行することで実現される。なお、Ｓ４０１〜Ｓ４２２は各ステップを示す。
【０１２０】
まず、図１０に示したように、コピーの準備として、コピーしたい片面原稿を用意し、両面コピーを始めたいページを裏返しにする。また、両面コピーを終了させたいページも裏返にする。この原稿ＤＣ−１〜ＤＣ−１２をＡＤＦ３００にセットする。
【０１２１】
図３に示したように、コピーボタン５０４を押すことでコピーが開始される（Ｓ４０１）。先ず、ＡＤＦ３００の原稿台３１０上にセットした原稿ＤＣ−１がＡＤＦ３００で紙送りされる（Ｓ４０２）。そして、紙送りされた原稿ＤＣ−１をスキャンする（Ｓ４０３）。
【０１２２】
そして、スキャンした原稿画像データに対して、本体ＣＰＵ１−８が白紙検出処理を実行して、白紙原稿を検出しているか否かを判断して（Ｓ４０４）、画像が存在し、白紙原稿でないと判断した場合は、この原稿は裏向きでないと判断する。そして、スキャンした原稿画像データを片面コピーでプリンタ部１−６よりプリントアウトする（Ｓ４０５）。
【０１２３】
次に、ＡＤＦ３００にセットされた原稿をすべてスキャンし終えているかどうかを本体ＣＰＵ１−８が判断して（Ｓ４２１）、し終えていると判断した場合は、コピー動作は終了する（Ｓ４２２）。
【０１２４】
一方、ステップＳ４２１で、ＡＤＦ３００にスキャンしていない原稿が残っていると本体ＣＰＵ１−８が判断した場合、ステップＳ４０２に戻り、次の原稿のスキャンへ移る。
【０１２５】
一方、ステップＳ４０４で、読み取った原稿画像データに画像が存在せず、白紙原稿を検出したと本体ＣＰＵ１−８が判断した場合、原稿（例えば図１０に示す原稿ＤＣ−４）が裏向きにされたと判断し、ＡＤＦ３００によって原稿ＤＣ−４を反転パスを介して裏返しにする（Ｓ４０６）。
【０１２６】
そして、裏返しにした原稿ＤＣ−４をスキャナ部１−２によりスキャンする（Ｓ４０７）。次に、スキャンした原稿画像データをページメモリである画像信号記憶部１−３に格納しておく（Ｓ４１１）。
【０１２７】
次に、ＡＤＦ３００より次の原稿（例えば原稿ＤＣ−５）が紙送りされる（Ｓ４１２）。そして、紙送りした原稿ＤＣ−５をスキャナ部１−２でスキャンする（Ｓ４１３）。この原稿ＤＣ−５に対しても同様に、本体ＣＰＵ１−８が白紙検出処理を実行して、白紙原稿を検出しているか否かを判断し（Ｓ４１４）、画像が存在すると判断した場合、ステップＳ４１５で、画像信号記憶部１−３に格納した原稿画像データを表面とし、今スキャンした原稿の原稿画像データを裏面にして、両面コピー（図１０に示すコピー出力ＣＰ−４）を行う（Ｓ４１５）。
【０１２８】
その後、両面モードでコピーを続けるため、ＡＤＦ３００で紙送りを行う（Ｓ４０８）。ＡＤＦ３００より紙送りされた原稿（例えば原稿ＤＣ−６）をスキャナ部１−２がスキャンする（Ｓ４０９）。そして、スキャナ部１−２がスキャンした原稿画像データに対して、白紙検出処理をかけて白紙原稿を検出しているか否かを本体ＣＰＵ１−８が判断し（Ｓ４１０）、画像データが存在し、白紙原稿でないと判断した場合には、この原稿は裏向きでないと判断し、両面モードを継続する。
【０１２９】
そして、ステップＳ４１１で、スキャナ部１−２がスキャンした原稿画像データを画像信号記憶部１−３に格納し、先ほどと同様に処理を進める。
【０１３０】
一方、ステップＳ４１０で、白紙原稿（図１０の例では、原稿ＤＣ−９をスキャンした場合）を検出していると本体ＣＰＵ１−８が判断した場合、ここで両面モードが終了し、片面モードに復帰するために、ＡＤＦ３００で原稿を上述した反転パスを介して裏返しし（Ｓ４１６）、スキャナ部１−２でスキャンを行う（Ｓ４１７）。その後、片面モードに戻り、片面コピーを行う（Ｓ４０５）。その後は片面モードのシーケンスに戻る。
【０１３１】
一方、ステップＳ４１４で、白紙原稿を本体ＣＰＵ１−８が検出していると判断した場合、現在、画像信号記憶部１−３に格納されている原稿画像データと合わせてプリンタ部１−６で両面コピーを行い、その後片面モードに復帰するため、ＡＤＦ３００で反転パスを介して原稿を裏返しし（Ｓ４１８）、スキャナ部１−２で原稿画像をスキャンし（Ｓ４１９）、先のステップＳ４１１で、画像信号記憶部１−３に格納した原稿画像データを表面とし、今スキャンした原稿の原稿画像データを裏面として、両面コピーを行う（Ｓ４２０）。その後は、ステップＳ４０２に戻り、片面モードとしてシーケンスを続ける。
【０１３２】
なお、上記シーケンスでは、煩雑になるため書かれていないが、紙送りをする前に原稿が終了したかどうかのチェックを行い、原稿がなくなった時点で一連のコピー動作が終了する。
【０１３３】
以上のようなシーケンスでコピーを行うことにより、両面コピーしたい原稿が複数続く場合、その手間を省くことが可能になる。
【０１３４】
上記実施形態によれば、片面原稿の中の一部分だけを両面コピーしたいような場合、途中で手動でコピーモードを切り替えることなく、一度のコピー動作で任意の片面原稿を両面コピーすることが可能になる。
【０１３５】
また、裏返しにされた原稿の画像を読み取る際、まず表面が白紙であるという判断をしてから原稿を裏返すという手順を踏む必要がなくなり、シーケンス中の無駄な待ち時間を削減することが可能となる。
【０１３６】
また、次のページの白紙検出を待たずに、現在ページの白紙チェックが終わった段階で、白紙でない場合にはプリントアウトすることが可能になり、シーケンスを簡略化することが可能になる。
【０１３７】
更に、両面コピーを行いたい原稿毎に裏返しにする手間が不要になり、両面コピーしたい原稿が複数続く場合、できる限り少ない手間で両面コピーの指示を与えることが可能となる。
【０１３８】
以下、図１２に示すメモリマップを参照して本発明に係る画像処理装置で読み取り可能なデータ処理プログラムの構成について説明する。
【０１３９】
図１３は、本発明に係る画像処理装置で読み取り可能な各種データ処理プログラムを格納する記憶媒体のメモリマップを説明する図である。
【０１４０】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１４１】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１４２】
本実施形態における図６，図７，図９，図１１に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１４３】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１４４】
この場合、記憶媒体から読み出されたプログラムコード自体が本発明の新規な機能を実現することになり、そのプログラムコードを記憶した記憶媒体は本発明を構成することになる。
【０１４５】
従って、プログラムの機能を有していれば、オブジェクトコード、インタプリタにより実行されるプログラム、ＯＳに供給するスクリプトデータ等、プログラムの形態を問わない。
【０１４６】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１４７】
この場合、記憶媒体から読出されたプログラムコード自体が前述した実施形態の機能を実現することになり、そのプログラムコードを記憶した記憶媒体は本発明を構成することになる。
【０１４８】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１４９】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１５０】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１５１】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１５２】
本発明は上記実施形態に限定されるものではなく、本発明の趣旨に基づき種々の変形（各実施形態の有機的な組合せを含む）が可能であり、それらを本発明の範囲から排除するものではない。
【０１５３】
本発明の様々な例と実施形態を示して説明したが、当業者であれば、本発明の趣旨と範囲は、本明細書内の特定の説明に限定されるものではない。
【０１５４】
なお、本発明は、上記した実施形態に限定されるものではなく、本発明の要旨を逸脱しない範囲内において種々変更を加え得ることは勿論である。以下、その実施態様１〜２４について説明する。
【０１５５】
〔実施態様１〕
片面または両面の原稿画像を読み取り可能な読み取り手段（図４に示すスキャナ部１−２であって、図１に示すＡＤＦ３００から給送される原稿画像を読み取り可能であって、反転パスを介して原稿用紙の両面または片面の原稿画像をスキャナ部１−２の画像読み取り面となるように原稿給送可能に構成される）と、読み取った表面原稿の搬送を制御して、裏面原稿を前記読み取り手段に読み取らせる搬送制御手段（図４に示す本体ＣＰＵ１−８が出力するＡＤＦ制御信号により制御する）とを備える画像処理装置であって、前記読み取られる各画像データを出力用紙の片面に出力する第１の出力モードまたは各画像データを出力用紙の両面に出力する第２の出力モードを有する出力手段（図２に示すプリンタ部１−６であって、図１に示すように、中間搬送路を介して画像形成された用紙を反転して、用紙の両面あるいは片面に画像を出力可能に構成されている）と、前記読み取り手段により読み取って得た表面の画像データが白紙画像かどうかを判定する判定手段（図４に示す白紙検知部１−４が画像信号記憶部１−３に記憶された原稿画像データを画像処理で判定する）と、前記判定手段の判定結果に基づいて、前記出力手段の出力モードを第１の出力モードから第２の出力モードへ、あるいは、第２の出力モードから第１の出力モードへ切替え制御するモード制御手段（図４に示す本体ＣＰＵ１−８で、白紙検知部１−４の検出結果から、プリンタ部１−６による画像出力モードを片面出力する第１の出力モードと、両面出力する第２の出力モードへの切替を、例えば図６に示すステップＳ１０７〜Ｓ１１５を実行することで制御する）とを有することを特徴とする画像処理装置。
【０１５６】
これにより、読み取らせる複数枚の片面原稿中に最初に読み取る面が白紙面となるように原稿を配列するという簡単な操作で、何ら片面画像処理と両面画像処理とを中断することなく、かつ、原稿のセットや画像出力モードの設定を繰り返すことなく、複数の片面原稿を読み込みながら、連続して片面画像出力と、一部両面画像出力とが混在する画像出力を自在に行うことができる利便性に優れた画像出力環境を整備できる。
【０１５７】
〔実施態様２〕
片面または両面の原稿画像を読み取り可能な読み取り手段（図４に示すスキャナ部１−２であって、図１に示すＡＤＦ３００から給送される原稿画像を読み取り可能であって、反転パスを介して原稿用紙の両面または片面の原稿画像をスキャナ部１−２の画像読み取り面となるように原稿給送可能に構成される）と、読み取った表面原稿の搬送を制御して、裏面原稿を前記読み取り手段に読み取らせる搬送制御手段とを備える画像処理装置であって、前記読み取り手段により読み取って得た画像データを記憶する記憶手段（例えば図４に示す画像信号記憶部１−３である）と、前記記憶手段に記憶される画像データが白紙画像かどうかを判定する判定手段（図４に示す白紙検知部１−４が画像信号記憶部１−３に記憶された原稿画像データを画像処理で判定する）と、前記記憶手段に記憶される各画像データを出力用紙の片面に出力する第１の出力モードまたは各画像データを出力用紙の両面に出力する第２の出力モードを有する出力手段（図２に示すプリンタ部１−６であって、図１に示すように、中間搬送路を介して画像形成された用紙を反転して、用紙の両面あるいは片面に画像を出力可能に構成されている）と、第１の出力モードで画像出力中、前記判定手段による判定結果に基づいて、第１の出力モードから第２の出力モードに切り替えて、前記記憶手段に記憶されている表面画像データと前記搬送制御手段により反転搬送される裏面から前記読み取り手段が読み取る原稿の裏面画像データとを出力用紙の表面または裏面に出力するように前記出力手段を制御する制御手段（図４に示す本体ＣＰＵ１−８で、白紙検知部１−４の検出結果から、プリンタ部１−６による画像出力モードを片面出力する第１の出力モードと、両面出力する第２の出力モードへの切替を、例えば図６に示すステップＳ１０７〜Ｓ１１５を実行することで制御する）とを有することを特徴とする画像処理装置。
【０１５８】
これにより、読み取らせる複数枚の片面原稿中に最初に読み取る面が白紙面となるように原稿を配列するという簡単な操作で、何ら片面画像処理と両面画像処理とを中断することなく、かつ、原稿のセットや画像出力モードの設定を繰り返すことなく、複数の片面原稿を読み込みながら先行する原稿画像データを記憶させることで、連続して片面画像出力と、一部両面画像出力とが混在する画像出力を自在に行うことができる利便性に優れた画像出力環境を整備できる。
【０１５９】
〔実施態様３〕
前記制御手段は、前記判定手段による判定結果に基づいて、第２の出力モードから第１の出力モードに切り替えて、出力用紙の片面に記憶されている画像データを出力させる画像処理に復帰させることを特徴とする実施態様２記載の画像処理装置。
【０１６０】
これにより、連続して片面原稿を読み取っている最中に、第１の出力モードから第２の出力モードに切り替わってしまっても、第２の出力モードから第１の出力モードに切り替えて、片面原稿の画像の読み取りを支障なく継続することができる。
【０１６１】
〔実施態様４〕
前記制御手段は、前記判定手段により白紙画像と判定された場合、第２の出力モードに切り替え、その後、あらかじめ決められた枚数の原稿の両面出力を行った後、自動的に第１の出力モードに復帰させることを特徴とする実施態様２記載の画像処理装置。
【０１６２】
これにより、連続して片面原稿を読み取っている最中に、第１の出力モードから第２の出力モードに切り替わってしまっても、適時に第２の出力モードから第１の出力モードに切り替えて、片面原稿の画像の読み取りを支障なく継続することができる。
【０１６３】
〔実施態様５〕
前記制御手段は、前記判定手段により白紙画像と判定された場合、第２の出力モードに切り替え、次の原稿が白紙画像判定されるまで第２の出力モードを保持させることを特徴とする実施態様２記載の画像処理装置。
【０１６４】
これにより、連続して片面原稿を読み取っている最中に、第１の出力モードから第２の出力モードに切り替わってしまっても、次の白紙画像と判定されるまでは、通常の片面原稿と同一の配置で片面原稿を読み込みながら、両面画像出力を継続させることができる。
【０１６５】
〔実施態様６〕
前記第１の出力モードは、片面コピーモードであり、前記第２の出力モードは両面コピーモードであることを特徴とする実施態様２〜５のいずれかに記載の画像処理装置。
【０１６６】
これにより、連続して片面原稿を読み取っている最中に、片面出力モードから両面出力モードに切り替えることができる。
【０１６７】
〔実施態様７〕
前記制御手段は、前記判定手段により白紙画像と判定された場合、第２の出力モードに切り替え、白紙画像と判定された原稿の前読み取り原稿あるいは後読み取り原稿と白紙画像と判定された原稿の裏面の画像とが出力用紙の表裏の両面に割り当てられる両面画像出力とするように前記出力手段を制御することを特徴とする実施態様２〜６のいずれかに記載の画像処理装置。
【０１６８】
これにより、連続して片面原稿を読み取っている最中に、第１の出力モードから第２の出力モードに切り替わってしまっても、第２の出力モードから第１の出力モードに切り替えて、先行する片面原稿と後続する片面原稿とを、出力用紙の裏面または表面のいずれにも出力する両面画像出力を容易に得ることができる。
【０１６９】
〔実施態様８〕
前記制御手段は、前記判定手段により白紙画像と判定された場合、第２の出力モードに切り替え、白紙画像と判定された原稿の前読み取り原稿を裏面とし、後読み取り原稿と白紙画像と判定された原稿の裏面の画像を表面として両面画像出力するように前記出力手段を制御することを特徴とする実施態様２〜６のいずれかに記載の画像処理装置。
【０１７０】
これにより、連続して片面原稿を読み取っている最中に、第１の出力モードから第２の出力モードに切り替わってしまっても、第２の出力モードから第１の出力モードに切り替えて、後続する片面原稿を表面とし、先行する片面原稿を裏面とする両面画像出力を容易に得ることができる。
【０１７１】
〔実施態様９〕
前記制御手段は、前記判定手段により白紙画像と判定された場合、第２の出力モードに切り替え、白紙画像と判定された原稿の前読み取り原稿を表面とし、後読み取り原稿と白紙画像と判定された原稿の裏面の画像を裏面として両面画像出力するように前記出力手段を制御することを特徴とする実施態様２〜６のいずれかに記載の画像処理装置。
【０１７２】
これにより、連続して片面原稿を読み取っている最中に、第１の出力モードから第２の出力モードに切り替わってしまっても、第２の出力モードから第１の出力モードに切り替えて、後続する片面原稿を裏面とし、先行する片面原稿を表面とする両面画像出力を容易に得ることができる。
【０１７３】
〔実施態様１０〕
前記読み取り手段は、複数の原稿の画像を読み取る際、すべての原稿に対して表面と裏面の両方の読み込みを行うことを特徴とする実施態様２記載の画像処理装置。
【０１７４】
これにより、画像読み取りシーケンスを簡略化して、表面が白紙画像となるように原稿を確実に検出して、出力モードを自在、かつ、確実に切り替えることができる。
【０１７５】
〔実施態様１１〕
前記読み取り手段は、複数の原稿の画像を読み取る際、前記判定手段により、白紙画像でないと判断された原稿については裏面の画像の読み込みを読み込まず、白紙画像であると判定された原稿についてのみ、裏面の画像を読み込むことを特徴とする実施態様２記載の画像処理装置。
【０１７６】
これにより、表面が白紙画像となるように原稿を確実に検出して、出力モードを自在、かつ、確実に切り替えることができる。
【０１７７】
〔実施態様１２〕
片面または両面の原稿画像を読み取り可能な読み取り手段（図４に示すスキャナ部１−２）と、読み取った表面原稿の搬送を制御して、裏面原稿を前記読み取り手段に読み取らせる搬送制御手段（図４に示す本体ＣＰＵ１−８が出力するＡＤＦ制御信号により制御する）と、前記読み取り手段により読み取って得た画像データを記憶する記憶手段（図４に示す画像信号記憶部１−３）とを備える画像処理装置における画像処理方法であって、前記読み取られる各画像データを出力用紙の片面に出力する第１の出力モードまたは各画像データを出力用紙の両面に出力する第２の出力モードを有する出力ステップ（図６に示すステップＳ１０９またはステップＳ１１３）と、前記読み取り手段により読み取って得た表面の画像データが白紙画像かどうかを判定する判定ステップ（例えば図６に示すステップＳ１０７）と、前記判定ステップの判定結果に基づいて、前記出力手段の出力モードを第１の出力モードから第２の出力モードへ、あるいは、第２の出力モードから第１の出力モードへ切替え制御するモード制御ステップ（例えば図６に示すステップＳ１０６〜Ｓ１１０，あるいはステップＳ１０６，Ｓ１１１〜Ｓ１１４）とを有することを特徴とする画像処理方法。
【０１７８】
これにより、読み取らせる複数枚の片面原稿中に最初に読み取る面が白紙面となるように原稿を配列するという簡単な操作で、何ら片面画像処理と両面画像処理とを中断することなく、かつ、原稿のセットや画像出力モードの設定を繰り返すことなく、複数の片面原稿を読み込みながら、連続して片面画像出力と、一部両面画像出力とが混在する画像出力を自在に行うことができる利便性に優れた画像出力環境を整備できる。
【０１７９】
〔実施態様１３〕
片面または両面の原稿画像を読み取り可能な読み取り手段（図４に示すスキャナ部１−２）と、読み取った表面原稿の搬送を制御して、裏面原稿を前記読み取り手段に読み取らせる搬送制御手段（図４に示す本体ＣＰＵ１−８が出力するＡＤＦ制御信号により制御する）と、前記読み取り手段により読み取って得た画像データを記憶する記憶手段（図４に示す画像信号記憶部１−３）とを備える画像処理方法であって、前記記憶手段に記憶される画像データが白紙画像かどうかを判定する判定ステップ（例えば図６に示すステップＳ１０７）と、前記記憶手段に記憶される各画像データを出力用紙の片面に出力する第１の出力モードまたは各画像データを出力用紙の両面に出力する第２の出力モードを有する出力ステップ（図６に示すステップＳ１０９またはステップＳ１１３）と、第１の出力モードで画像出力中、前記判定ステップによる判定結果に基づいて、第１の出力モードから第２の出力モードに切り替えて、前記記憶手段に記憶されている表面画像データと前記搬送制御手段により反転搬送される裏面から前記読み取り手段が読み取る原稿の裏面画像データとを出力用紙の表面または裏面に出力するように前記出力ステップを制御する制御ステップ（例えば図６に示すステップＳ１０６〜Ｓ１１０，あるいはステップＳ１０６，Ｓ１１１〜Ｓ１１４）とを有することを特徴とする画像処理方法。
【０１８０】
これにより、読み取らせる複数枚の片面原稿中に最初に読み取る面が白紙面となるように原稿を配列するという簡単な操作で、何ら片面画像処理と両面画像処理とを中断することなく、かつ、原稿のセットや画像出力モードの設定を繰り返すことなく、複数の片面原稿を読み込みながら先行する原稿画像データを記憶させることで、連続して片面画像出力と、一部両面画像出力とが混在する画像出力を自在に行うことができる利便性に優れた画像出力環境を整備できる。
【０１８１】
〔実施態様１４〕
前記制御ステップは、前記判定ステップによる判定結果に基づいて、第２の出力モードから第１の出力モードに切り替えて、出力用紙の片面に記憶されている画像データを出力させる画像処理に復帰させることを特徴とする実施態様１３記載の画像処理方法。
【０１８２】
これにより、連続して片面原稿を読み取っている最中に、第１の出力モードから第２の出力モードに切り替わってしまっても、第２の出力モードから第１の出力モードに切り替えて、片面原稿の画像の読み取りを支障なく継続することができる。
【０１８３】
〔実施態様１５〕
前記制御ステップは、前記判定ステップにより白紙画像と判定された場合、第２の出力モードに切り替え、その後、あらかじめ決められた枚数の原稿の両面出力を行った後、自動的に第１の出力モードに復帰させることを特徴とする実施態様１３記載の画像処理方法。
【０１８４】
これにより、連続して片面原稿を読み取っている最中に、第１の出力モードから第２の出力モードに切り替わってしまっても、適時に第２の出力モードから第１の出力モードに切り替えて、片面原稿の画像の読み取りを支障なく継続することができる。
【０１８５】
〔実施態様１６〕
前記制御ステップは、前記判定ステップにより白紙画像と判定された場合、第２の出力モードに切り替え、次の原稿が白紙画像判定されるまで第２の出力モードを保持させることを特徴とする実施態様１３記載の画像処理方法。
【０１８６】
これにより、連続して片面原稿を読み取っている最中に、第１の出力モードから第２の出力モードに切り替わってしまっても、次の白紙画像と判定されるまでは、通常の片面原稿と同一の配置で片面原稿を読み込みながら、両面画像出力を継続させることができる。
【０１８７】
〔実施態様１７〕
前記第１の出力モードは、片面コピーモードであり、前記第２の出力モードは両面コピーモードであることを特徴とする実施態様１３〜１６のいずれかに記載の画像処理方法。
【０１８８】
これにより、連続して片面原稿を読み取っている最中に、片面出力モードから両面出力モードに切り替えることができる。
【０１８９】
〔実施態様１８〕
前記制御ステップは、前記判定ステップにより白紙画像と判定された場合、第２の出力モードに切り替え、白紙画像と判定された原稿の前読み取り原稿あるいは後読み取り原稿と白紙画像と判定された原稿の裏面の画像とが出力用紙の表裏の両面に割り当てられる両面画像出力とするように前記出力ステップを制御することを特徴とする実施態様１３〜１７のいずれかに記載の画像処理方法。
【０１９０】
これにより、連続して片面原稿を読み取っている最中に、第１の出力モードから第２の出力モードに切り替わってしまっても、第２の出力モードから第１の出力モードに切り替えて、先行する片面原稿と後続する片面原稿とを、出力用紙の裏面または表面のいずれにも出力する両面画像出力を容易に得ることができる。
【０１９１】
〔実施態様１９〕
前記制御ステップは、前記判定ステップにより白紙画像と判定された場合、第２の出力モードに切り替え、白紙画像と判定された原稿の前読み取り原稿を裏面とし、後読み取り原稿と白紙画像と判定された原稿の裏面の画像を表面として両面画像出力するように前記出力ステップを制御することを特徴とする実施態様１３〜１７のいずれかに記載の画像処理方法。
【０１９２】
これにより、連続して片面原稿を読み取っている最中に、第１の出力モードから第２の出力モードに切り替わってしまっても、第２の出力モードから第１の出力モードに切り替えて、後続する片面原稿を表面とし、先行する片面原稿を裏面とする両面画像出力を容易に得ることができる。
【０１９３】
〔実施態様２０〕
前記制御ステップは、前記判定ステップにより白紙画像と判定された場合、第２の出力モードに切り替え、白紙画像と判定された原稿の前読み取り原稿を表面とし、後読み取り原稿と白紙画像と判定された原稿の裏面の画像を裏面として両面画像出力するように前記出力ステップを制御することを特徴とする実施態様１３〜１７のいずれかに記載の画像処理方法。
【０１９４】
これにより、連続して片面原稿を読み取っている最中に、第１の出力モードから第２の出力モードに切り替わってしまっても、第２の出力モードから第１の出力モードに切り替えて、後続する片面原稿を裏面とし、先行する片面原稿を表面とする両面画像出力を容易に得ることができる。
【０１９５】
〔実施態様２１〕
前記読み取り手段は、複数の原稿の画像を読み取る際、すべての原稿に対して表面と裏面の両方の読み込みを行うことを特徴とする請求項１３記載の画像処理方法。
【０１９６】
これにより、画像読み取りシーケンスを簡略化して、表面が白紙画像となるように原稿を確実に検出して、出力モードを自在、かつ、確実に切り替えることができる。
【０１９７】
〔実施態様２２〕
前記読み取り手段は、複数の原稿の画像を読み取る際、前記判定ステップにより、白紙画像でないと判断された原稿については裏面の画像の読み込みを読み込まず、白紙画像であると判定された原稿についてのみ、裏面の画像を読み込むことを特徴とする実施態様１３記載の画像処理方法。
【０１９８】
これにより、表面が白紙画像となるように原稿を確実に検出して、出力モードを自在、かつ、確実に切り替えることができる。
【０１９９】
〔実施態様２３〕
実施態様１２〜２２のいずれかに記載の画像処理方法を実行させるためのプログラムを格納したことを特徴とするコンピュータが読み取り可能な記憶媒体。
【０２００】
これにより、実施態様１２〜２２と同等の効果を奏する。
【０２０１】
〔実施態様２４〕
実施態様１２〜２２のいずれかに記載の画像処理方法を実行させることを特徴とするプログラム。
【０２０２】
これにより、実施態様１２〜２２と同等の効果を奏する。
【図面の簡単な説明】
【０２０３】
【図１】本発明の第１実施形態を示す画像処理装置の構成を説明する概略断面図である。
【図２】図１に示したＡＤＦの構成を説明する概略断面図である。
【図３】図１の本体に設けた操作・表示パネルの配置構成例を示す図である。
【図４】図１に示した画像処理装置の制御構成を説明するブロック図である。
【図５】図１に示したＡＤＦの原稿台に載置される原稿の配置状態と、コピー結果とを示す図である。
【図６】本発明に係る画像処理装置における第１のデータ処理手順の一例を示すフローチャートである。
【図７】本発明に係る画像処理装置における第２のデータ処理手順の一例を示すフローチャートである。
【図８】図１に示したＡＤＦの原稿台に載置される原稿の配置状態と、コピー結果とを示す図である。
【図９】本発明に係る画像処理装置における第３のデータ処理手順の一例を示すフローチャートである。
【図１０】図１に示したＡＤＦの原稿台に載置される原稿の配置状態と、コピー結果とを示す図である。
【図１１】本発明に係る画像処理装置における第４のデータ処理手順の一例を示すフローチャートである。
【図１２】本発明に係る画像処理装置で読み取り可能な各種データ処理プログラムを格納する記憶媒体のメモリマップを説明する図である。
【符号の説明】
【０２０４】
１−２  スキャナ部
１−３  画像信号記憶部
１−４  白紙検知部
１−５  画像処理部
１−６  プリンタ部
１−７  コピー出力
１−８  本体ＣＰＵ
【図１】
2006023412.tif 000003
【図２】
2006023412.tif 000004
【図３】
2006023412.tif 000005
【図４】
2006023412.tif 000006
【図５】
2006023412.tif 000007
【図６】
2006023412.tif 000008
【図７】
2006023412.tif 000009
【図８】
2006023412.tif 000010
【図９】
2006023412.tif 000011
【図１０】
2006023412.tif 000012
【図１１】
2006023412.tif 000013
【図１２】
2006023412.tif 000014